【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
テンション集束マスク構体と、フェースプレート・パネル上の発光スクリーンとを有する陰極線管であって、
前記テンション集束マスク構体が、
１対の長辺と１対の短辺とを有する矩形マスク・フレームと、
前記長辺のそれぞれに対する少なくとも１つの取り付けポイントの付近に１対のマスク・ボーダー部を有し、前記長辺相互間を伸延するテンション・マスクと、を含み、
前記テンション・マスクが、前記マスク・ボーダー部相互間を伸延する複数のストランドと、前記ストランドに対して略垂直に伸延し、前記ストランドから電気的に絶縁された複数のクロス・ワイヤとを有し、
前記テンション集束マスク構体が、
シース、シールド、および、少なくとも１つの減衰素子を有するシールド構体を含み、
前記シースが、前記マスク・ボーダー部内の開孔を通過して伸延するタブによって前記マスク・ボーダー部に取り付けられた少なくとも１つの平坦部を有し、且つ、前記マスク・ボーダー部の内側に配置されて前記マスク・ストランドの少なくとも１本と摩擦接触し、
前記シールドが、前記シースの反対側で前記マスク・ボーダー部と前記クロス・ワイヤとを覆うように配置されて固定され、また、前記シースと前記マスク・ストランドの少なくとも１本とに覆い被さる内側縁端部を有し、その際、前記マスク・ストランドの１本と正確に整列し、前記正確に整列したシールドによって、正確な最端のマスク開孔が得られ、前記発光スクリーンの最端の蛍光体トライアッドの正確なプリントが容易になり、
前記減衰素子が、前記シールドに取り付けられて前記シールドから突出しており、前記マスクに垂直な振動を低減する、
前記テンション集束マスク構体と、フェースプレート・パネル上の発光スクリーンとを有する陰極線管。  
【請求項２】
前記シースが、前記ストランドに対して実質的に平行に配置された、請求項１記載のテンション集束マスク構体と、フェースプレート・パネル上の発光スクリーンとを有する陰極線管。
【請求項３】
前記マスク・ボーダー部が、前記クロス・ワイヤに対して実質的に平行に配置され、且つ、前記シースを超えて伸延している、請求項１記載のテンション集束マスク構体と、フェースプレート・パネル上の発光スクリーンとを有する陰極線管。
【請求項４】
テンション・マスク構体と、フェースプレート・パネル上の発光スクリーンとを有する陰極線管であって、
前記テンション・マスク構体が、
テンション・マスクを支持する１対のテンション・マスク支持ブレード部材を含み、
前記テンション・マスクが、各々がそれぞれの前記テンション・マスク支持ブレード部材に固定された１対のマスク・ボーダー部と、前記マスク・ボーダー部相互間を伸延する複数のストランドとを有し、
前記テンション・マスク構体が、
前記ストランドのスクリーンに面した側で、前記ストランドに対して略垂直に伸延する複数のクロス・ワイヤと、
前記マスク・ボーダー部相互間で伸延し、前記マスク・ボーダー部に取り付けられた少なくとも１つのシールド構体と、を含み、
前記シールド構体が、少なくとも１本のストランドに接触して前記マスクの１つの側部に沿って伸延するシースと、前記シースと一部重畳して前記マスクの前記クロス・ワイヤに取り付けられたシールドとを有する、
前記テンション・マスク構体と、フェースプレート・パネル上の発光スクリーンとを有する陰極線管。  
【請求項５】
前記シースが、前記マスク・ボーダー部内の開孔を通過した複数のタブによって、前記マスク・ボーダー部に固定される、請求項４記載のテンション・マスク構体と、フェースプレート・パネル上の発光スクリーンとを有する陰極線管。
【請求項６】
前記シールドに固定され、前記シールドから外側に伸延する減衰素子を含む、請求項４記載のテンション・マスク構体と、フェースプレート・パネル上の発光スクリーンとを有する陰極線管。
【手続補正２】
【補正対象書類名】明細書
【補正対象項目名】発明の名称
【補正方法】変更
【補正の内容】
【発明の名称】テンション・マスク構体と、フェースプレート・パネル上の発光スクリーンとを有する陰極線管
【手続補正３】
【補正対象書類名】明細書
【補正対象項目名】０００６
【補正方法】変更
【補正の内容】
【０００６】
以下、図面を参照して、本発明の実施例を説明する。
特許請求の範囲と実施例との対応関係を実施例で使われている参照番号を用いて示すと以下の通りである。
（請求項１）
テンション集束マスク構体（１０）と、フェースプレート・パネル（３）上の発光スクリーン（１２）とを有する陰極線管（１）であって、
前記テンション集束マスク構体が、
１対の長辺（２２、２４）と１対の短辺（２６、２８）とを有する矩形マスク・フレームと、
前記長辺のそれぞれに対する少なくとも１つの取り付けポイントの付近に１対のマスク・ボーダー部（６６）を有し、前記長辺相互間を伸延するテンション・マスク（３０）と、を含み、
前記テンション・マスクが、前記マスク・ボーダー部相互間を伸延する複数のストランド（６２）と、前記ストランドに対して略垂直に伸延し、前記ストランドから電気的に絶縁された複数のクロス・ワイヤ（６０）とを有し、
前記テンション集束マスク構体が、
シース（５４）、シールド、および、少なくとも１つの減衰素子を有するシールド構体（７０）を含み、
前記シースが、前記マスク・ボーダー部内の開孔を通過して伸延するタブによって前記マスク・ボーダー部に取り付けられた少なくとも１つの平坦部を有し、且つ、前記マスク・ボーダー部の内側に配置されて前記マスク・ストランドの少なくとも１本と摩擦接触し、
前記シールドが、前記シースの反対側で前記マスク・ボーダー部と前記クロス・ワイヤとを覆うように配置されて固定され、また、前記シースと前記マスク・ストランドの少なくとも１本とに覆い被さる内側縁端部を有し、その際、前記マスク・ストランドの１本と正確に整列し、前記正確に整列したシールドによって、正確な最端のマスク開孔が得られ、前記発光スクリーンの最端の蛍光体トライアッドの正確なプリントが容易になり、
前記減衰素子が、前記シールドに取り付けられて前記シールドから突出しており、前記マスクに垂直な振動を低減する、
前記テンション集束マスク構体と、フェースプレート・パネル上の発光スクリーンとを有する陰極線管。
（請求項２）
前記シースが、前記ストランドに対して実質的に平行に配置された、請求項１記載のテンション集束マスク構体と、フェースプレート・パネル上の発光スクリーンとを有する陰極線管。
（請求項３）
前記マスク・ボーダー部が、前記クロス・ワイヤに対して実質的に平行に配置され、且つ、前記シースを超えて伸延している、請求項１記載のテンション集束マスク構体と、フェースプレート・パネル上の発光スクリーンとを有する陰極線管。
（請求項４）
テンション・マスク構体（１０）と、フェースプレート・パネル（３）上の発光スクリーン（１２）とを有する陰極線管（１）であって、
前記テンション・マスク構体が、
テンション・マスク（３０）を支持する１対のテンション・マスク支持ブレード部材（４０）を含み、
前記テンション・マスクが、各々がそれぞれの前記テンション・マスク支持ブレード部材に固定された１対のマスク・ボーダー部（６６）と、前記マスク・ボーダー部相互間を伸延する複数のストランド（６２）とを有し、
前記テンション・マスク構体が、
前記ストランドのスクリーンに面した側で、前記ストランドに対して略垂直に伸延する複数のクロス・ワイヤと、
前記マスク・ボーダー部相互間で伸延し、前記マスク・ボーダー部に取り付けられた少なくとも１つのシールド構体（７０）と、を含み、
前記シールド構体が、少なくとも１本のストランドに接触して前記マスクの１つの側部に沿って伸延するシース（５４）と、前記シースと一部重畳して前記マスクの前記クロス・ワイヤに取り付けられたシールドとを有する、
前記テンション・マスク構体と、フェースプレート・パネル上の発光スクリーンとを有する陰極線管。
（請求項５）
前記シースが、前記マスク・ボーダー部内の開孔を通過した複数のタブによって、前記マスク・ボーダー部に固定される、請求項４記載のテンション・マスク構体と、フェースプレート・パネル上の発光スクリーンとを有する陰極線管。
（請求項６）
前記シールドに固定され、前記シールドから外側に伸延する減衰素子を含む、請求項４記載のテンション・マスク構体と、フェースプレート・パネル上の発光スクリーンとを有する陰極線管。